(57)【特許請求の範囲】
【請求項１】
薬やワクチン等の液状物質を鼻腔道に送るために、注射器等の薬の容器とともに使用する鼻用噴霧ノズルであって、
物質を鼻腔道に送るための一端部における噴霧口と、物質を包含する注射器に選択的に取付けることができる第二の端部における開口部とを有する剛性のキャップであって、物質が噴霧口へ向かって流れるのを許容すべく開口部と噴霧口との間の管路を画成する内面を含み、開口部から管路の反対方向に延在する概ね細長い本体部分を含み、本体部分は細長い注射器本体上に受入れられるべく適合された側壁を有し、且つキャップを把持し、物質を注射器から鼻腔道に送るのを助けるために使用者の指に適応すべく適合されたフランジを本体部分の終端部に含
むキャップと、
噴霧口と開口部との間で管路内に支持された内部バルブであって、物質の噴霧が噴霧口から送られるように、物質が圧力下で噴霧口を通って流れることのみを許すバルブと、
を備えることを特徴とする噴霧ノズル。
【請求項２】
バルブは、偏倚されてキャップの内面に係合しキャップ内で支持された概ね可撓性の部材を含み、圧力をかけられた物質のみが前記可撓性部材を通過して噴霧口へ向かう一方向に流れるようにされていることを特徴とする請求項１に記載の噴霧ノズル。
【請求項３】
バルブは、キャップ内に一体に成形され、そして管路を閉鎖すべく偏倚された可撓性部材を含み、それにより、圧力をかけられた物質のみが可撓性部材を通って噴霧口に向かって一方向に流れるようにされていることを特徴とする請求項１に記載の噴霧ノズル。
【請求項４】
キャップは、剛性のプラスチック材料から作成され、キャップの注射器への取付けを助け、キャップの引き続きの外れを防止する構造を開口部近傍に含むことを特徴とする請求項１に記載の噴霧ノズル。
【請求項５】
キャップの鼻腔道内への過剰挿入を防ぐために、開口部の近傍にキャップから半径方向外方に延在するフランジを含むことを特徴とする請求項１に記載の噴霧ノズル。
【請求項６】
細長い本体部分は概ね円筒形で且つ側壁が連続していることを特徴とする請求項５に記載の噴霧ノズル。
【請求項７】
細長い本体部分は、互いに離間された二つの概ね弧状の側壁部分を有し、各側壁は終端部にフランジを有することを特徴とする請求項５に記載の噴霧ノズル。
【請求項８】
キャップの鼻腔道への過剰挿入を防ぐ延伸された外表面を開口部付近のキャップ上に備え、前記延伸された外表面はフランジの外側寸法よりも小さい外側寸法を有することを特徴とする請求項５に記載の噴霧ノズル。
【請求項９】
薬やワクチン等の液状物質を鼻腔道に送るための鼻内部への送り器具であって、
一端部に出口開口を備える本体を有し、液体を送る前に物質を収容するチャンバを画成する細長いバレルと、液体をバレルから押し出すためのプランジャロッドとを含む注射器と、
噴霧ノズルであって、
出口開口の近傍で注射器本体に選択的に密封固定される内面を有する別の概ね剛性のキャップであって、出口開口と流体連通する管路を画成する内面を含み、液状物質を鼻腔道に送るための噴霧口を末端部に含み、注射器バレル上に受入れられる側壁を有する概ね細長いキャップ本体部分を含み、キャップを把持し、注射器から鼻腔道に物質を送るためにプランジャロッドを押すのを助けるよう使用者の指に適応すべく適合されたフランジをキャップ本体部分の終端部に含むキャップ、および
噴霧口と出口開口との間でキャップに支持され、圧力をかけられた物質のみが管路と噴霧口を通って流れることを許し、同ときに圧力をかけられていない物質が噴霧口を通って流れるのを妨ぐバルブを含む噴霧ノズルと
を備えることを特徴とする鼻内部への送り器具。
【請求項１０】
注射器の本体は、出口開口付近にルアー先端部を含み、キャップは注射器のルアー先端部と係合するための協働構造を有することを特徴とする請求項９に記載の器具。
【請求項１１】
注射器は、出口開口付近の外側表面に形成された溝を含み、キャップは溝によって少なくとも部分的に受入れられる対応する突起を内表面に含むことを特徴とする請求項９に記載の器具。
【請求項１２】
突起は、突起が溝に受入れられたときに、キャップが注射器に固着され、その後の噴霧ノズルの除去を防ぐように十分に硬いことを特徴とする請求項１１に記載の器具。
【請求項１３】
キャップは、ノズルの鼻腔道への過剰挿入を防ぐために半径方向外方に突出するフランジを含むことを特徴とする請求項９に記載の器具。
【請求項１４】
細長い本体部分は概ね円筒状で側壁が連続していることを特徴とする請求項９に記載の器具。
【請求項１５】
細長い本体部分は、互いに離間された二つの概ね弧状の側壁部分を有し、各側壁は終端部にフランジを有することを特徴とする請求項９に記載の器具。
【請求項１６】
キャップの鼻腔道への過剰挿入を防ぐ延伸された外表面を開口部付近のキャップ上に備え、前記延伸された外表面はフランジの外側寸法よりも小さい外側寸法を有することを特徴とする請求項９に記載の器具。
【請求項１７】
選択された量の物質が噴霧口を通って送られるのを可能にする投薬リミッタを含み、該投薬リミッタは、バレルに対するプランジャロッドの動きの範囲を制限することを特徴とする請求項９に記載の器具。
【請求項１８】
投薬リミッタは、物質の約二分の一が噴霧口を通って送られるのを可能とするために、リミッタがバレルおよびプランジャに対して第一の位置に選択的に配置され、その後、物質の残りの半分が噴霧口を通って送られるように選択的に取り除かれることを特徴とする請求項１７に記載の器具。
【請求項１９】
注射器は、チャンバを画成する細長いバレルを含み、前記チャンバは、薬やワクチン等の鼻内部に送られるべき少なくとも一つの物質で予め充填されていることを特徴とする請求項９に記載の器具。
【発明の詳細な説明】
【０００１】
【発明の属する技術分野】
本発明は、一般に、薬やワクチン等の送達物質を送るための送りシステムに関し、より詳しくは、そのような物質を鼻内部に、すなわち鼻を通して送るための送り器具であって、注射器のような予め薬を満たした容器とともに使用するための噴霧ノズルを含むものに関する。さらに、本発明は、鼻内部への送り器具に関し、とりわけ標準規格の注射器に使用される取り外し可能な噴霧ノズルに関する。
【０００２】
【従来の技術】
多くの注入可能な薬は、最終的には患者に薬を投与するために使用される皮下注射器として袋詰され、流通される。注射器は、皮下注射針を介して液剤を送るために選択された低価格、能率的な滅菌された器具である。また、皮下注射器は、製薬会社または病院内の薬局において前記皮下注射に封入された薬の優れた保存容器にもなる。
【０００３】
注射器は、喩え皮下注射を必要とされない場合であっても、薬を配布および投与するために有効であることも証明するものと思われる。治療に役立つ液体を、噴霧するようにして、鼻腔道を介して送ることは、ある種の条件下である種の治療に役立つ液体を送るよりも好ましい。鼻用スプレーとして有用な注射器を作るためにいくつかの器具が提案されている。
【０００４】
インバートに対する米国特許第５，６０１，０７７号は、鼻腔道を介してスプレー中の注射器の液状内容物を送り出すための鼻用注射器スプレーを開示している。しかしながら、この器具の使用は、予め収容された液体安定薬に制限されている。つまり、前記特許の噴霧液は、パウダーの状態または凍結された状態で維持され、取り入れる直前に復元されることを必要とするような薬には使用できない。さらに、鼻用噴霧ノズルは、注射器を充填するために前記薬ビンからその内容物を抽出するのに小型の薬ビンに挿入され得ないので、前記特許の噴霧器先端部は、個人に、標準的な小型の薬ビンから注射器に液剤を充填することを許るさない。
【０００５】
ウルフ他に対する米国特許第４，７６７，４１６号は、注射器用の可撓性を有し取り外し可能な噴霧ノズルを開示している。当該噴霧ノズルは、注射器のルアー取りつけ具に直に取りつけられていてもよいし、当該ルアー取りつけ具に固定された皮下注射針に適応して覆うように取りつけられ得る。いずれの場合も、噴霧ノズルの注射器への取付部で液体が逆流したり漏れたりしないようにするため、噴霧ノズルは注射器に係合する。当該器具の一つの欠点は、噴霧ノズルの先端部において、圧力を加えられていない液体がその開口部から流れ出るのをノズルが防ぐことができないことである。
【０００６】
【発明が解決しようとする課題】
現在利用可能または提案されているシステムの欠点および瑕疵を考慮すると、漏洩の無い封止をもたらし、圧力をかけられていない液体が噴霧ノズルの開口部から流れ出すのを防ぐような皮下注射器に使用するための取り外し可能な噴霧ノズルが求められている。
【０００７】
【課題を解決するための手段】
以上に述べたような従前の器具とは対照的に、薬やワクチン等の鼻内部へ送る物質についての使用に特に適した鼻内部への送り器具が本発明によって構成され得ることがわかった。とくに、本発明は、薬等の液体物質を注射器から鼻腔道に送るために適合された取り外し可能な噴霧ノズルを有する鼻内部への送り器具に関する。当該噴霧ノズルは、液状物質を鼻腔道に送るためにノズルの一端に噴霧噴霧開口部を有するプラスチックの剛性のキャップを備えている。当該噴霧ノズルは、液状物質の送りが鼻腔道の中に噴霧されるときに、注射器に取付けられる。当該噴霧ノズルは、圧力をかけられた液状物質がノズルを通って流れ、噴霧開口部ら外に出るようにする一方で、圧力をかけられていない液体が噴霧開口部を通って流れることを防止するような内部バルブを含んでいる。
【０００８】
好ましい実施形態においては、噴霧ノズルは、各人がノズルを各々の鼻腔道に挿入しすぎることを防ぐために、基端部にフランジを有している。当該ノズルは、注射器の細長いバレルに受入れられノズルから伸びる弾力のある細長いスリーブを含んでいてもよい。当該細長いスリーブは、ユーザーがアセンブリを掴んだり、液体を注射器から鼻腔道に送るのを助けるために、端部にフランジを備えている。
【０００９】
本発明の多様な特徴と利点は、以下に詳細に記載されている現在の好ましい実施形態から当業者にとって明確になるであろう。詳細な説明に添付した図面は、以下に簡略に説明される。
【００１０】
【発明の実施の形態】
図１ないし６は、標準的な注射器のような薬剤容器およびこれに取付けることができる分離可能な噴霧ノズル３７を含み、全体として２０で示された本発明の鼻内部への送り器具を図解したものである。当該注射器は、開口基端部２２と液体を保持するためのチャンバ２３とバレル２１の末端部２７から伸びる先端部分２５とを有する細長いバレル２１を備えている。チャンバ２３と先端部分の終端にある開口部との間の先端部分２５を通って通路２８が伸びている。
【００１１】
この説明の目的のため、用語「末端部」とは、当該鼻内部への送り器具を把持している人から最も離れた端部を指すべく用いられ、「基端部」とは当該鼻内部への送り器具の把持者に最も近い端部を指すものとする。
【００１２】
ストッパ２９は、バレル２１の内側に液密に係合して摺動可能に配置され、従来の方法で細長いプランジャロッド３１に接続されている。当該プランジャロッド３１は、ストッパ２９から基端方向に突出し、バレル２１の開口した基端部２２から外側に向けて延在している。プランジャロッド３１は、当該バレルの基端部の外側でアクセスすることができ、バレル２１に沿ってストッパ２９を動かし、通路２８を通って液体をチャンバ２３から押し出すために設けられている。プランジャロッド３１の基端部にある円盤状のプランジャロッドフランジ３２は、バレル２１に対して当該プランジャロッド３１を動かす力を与えるための便利な構造を提供している。フランジ３２の大きな表面積は、薬やワクチン、その他の物質を、鼻内部への送り器具を介して送る際に、使用者の指にかかる圧力を軽減する。
【００１３】
液状物質３５等の治療効果を有する液体がチャンバ２３の中に含まれている。注射器は、予め満たされるか、又は最終的な使用者によって必要に応じて予め手作業で満たされることが可能である。予め満たす方法の一例が、図９に関連して以下に論じられている。使用者が注射器を満たす場合には、この行為は噴霧ノズル３７が所定の位置に配置される前に完了されるべきである。
【００１４】
液状物質３５を使用者の鼻腔道に送るために、分離可能な噴霧ノズル３７が注射器２０の先端部２５上に滑りこむ。噴霧ノズル３７の内面は、注射器に配置されたときに通路２８と流体連通下にある管路３９を画成する。当該噴霧ノズル３７は、管路３９と流体連通下にある噴霧口４１を有する末端部４０も含んでいる。
【００１５】
噴霧ノズル３７は、二つの主要な構成要素、即ち、概ね剛性のプラスチックキャップ３８と概ね可撓性のバルブ４５、を備えるのが好ましい。当該キャップ３８は、好ましくは、ポリプロピレン等のポリマーで構成され、注射器のバレル２１の先端部分２５に摺動可能に取付けられるように設計される。先端部分２５と当該キャップ３８の協働する開口部４４との間の従来のルアー先端配列が当該キャップ３８を所定の位置に固定する。
【００１６】
多様なキャップ開口部と先端部形状とを使用することができる。標準規格の皮下注射針が、本発明の噴霧ノズル３７に使用するよう意図されている注射器本体と共に使用されないことを確実にすることが重要であるときには、従来の注射器とは異なる先端部のデザインを使用することが効果的である。
【００１７】
前記バルブ４５は、先端部分２５とキャップ３８の末端部４０との間のキャップ３８中に含まれるのが好ましい。当該バルブ４５は、キャップ３８の内面と互いに作用しあい、圧力をかけられた液体のみが噴霧開口部４１を通って末端方向へ流れるのを許容する。当該バルブ４５は、チャンバ２３内の圧力をかけられていない液体が開口部４１を通って流れ出ることを防止する。それ故、水流または液滴よりもむしろ霧状の液体が出口４１から排出される。
【００１８】
一つの好ましい実施形態におけるバルブは、チャンバ２３から圧力をかけられた液体の力を受けて、部分的に潰れる、すなわち内側壁から移動し、液体が噴霧口４１を通って注射器から流出できるようにする外周のスカート４６を有するスカートバルブである。前記スカート４６は、キャップ３８の内側の側壁から移動することにより潰れ、スカート４６とキャップ３８の間に水圧によって創り出されたギャップを液体が通過できるようにする。当該スカート４６は、通常偏倚されて内側の側壁と係合し、一方向に曲がるのみなので、当該キャップを通って液体が逆流しないことを保証する。天然ゴム、合成ゴムおよび熱可塑性エラストマーのような広く多様な素材が、可撓性バルブ４５の形成に適しており、熱可塑性エラストマーが好ましい。
【００１９】
噴霧ノズル３７は、キャップ３８の基端部にフランジ４３を含むのが好ましい。フランジ４３は、ノズル３７が鼻腔道に過剰に入り込むのを防止する深さ制限器として役割を果たす。
【００２０】
図７に示されるように、噴霧ノズル３７は注射器から取り外せないように設計されていてもよい。この実施形態では、注射器の先端部２５は、注射器本体に近接する先端部分の外周を取り囲んで延在するのが好ましい溝６０を有している。協働する開口部４４は、キャップ３８が先端部２５に滑りこまされたときにフランジと溝との間のスナップ嵌合がノズル３７を注射器に対して効果的に恒久的に固定するようにフランジを形成する、対応するアンダーカット６２を有している。バルブ４５は、簡略化のため図７には図解されていない。バルブは、霧すなわち噴霧が鼻腔道に送られるのを確実にするために備えられるのが好ましい。
【００２１】
いくつかの例においては、噴霧ノズルを通って注射器に逆流させるのを可能にするのが効果的である。例えば、図７はスカート４６を通る少なくとも一つの通路４６Ａを有する変更を加えられたバルブ４５’を含んでいる。この通路は、適当に設計された薬の小ビンを使用する場合に、流体が注射器内に引き込まれるのを許容する。
【００２２】
図２、４および５に最もよく見られる通り、投薬リミッタ４７を用いることもできる。当該リミッタ４７は、部分的にプランジャロッド３１を囲い込むので、リミッタ４７はそれ自体の重みでプランジャロッド３１から落ちる事はないが、開口部４１を通ってチャンバから物質を送る鼻内部への送り器具の能力を打ち消すことなく、強制的にプランジャロッド３１から取り除くことができてもよい。当該リミッタ４７は歪んでプランジャロッド３１の上にパチンと止まるように薄い断面でデザインされていてもよく、または、プランジャロッド３１が、取付けまたは取外しときにリミッタ４７の力で歪むようにデザインされていてもよい。あるいは、その両要素が、リミッタ４７の取付けまたは取外しの際に部分的に歪むべくデザインされてもよい。つまみ部分４９は、取付けおよび取外しを容易にする。複数のリブ５０が掴み易さを提供する。
【００２３】
リミッタ４７は、フランジ３２のようなプランジャロッド３１の半径方向突出部とバレルフランジ２６を含むバレル２１の基端部２２との間で、バレル２１に対するプランジャロッドの末端方向への移動を制限すべく相互に作用し合うように適合されている。例えば、リミッタ４７の長さは、チャンバ２３内の液状物質の容積の二分の一に相当させることができ、これは、各鼻内部へ同じ分量の薬を送るのに効果的であることを証明している。
【００２４】
使用に際して、鼻内部への送り器具は、図４に図解されているように十分に充填されているときに、使用者の一方の鼻内部に挿入することができる。末端方向（すなわち、図面に従えば右から左に向かって）のプランジャロッドフランジ３２にかかる圧力は、液状物質３５が通路２８を通ってキャップ３８の管路３９に流れ、可撓性バルブ４５のスカート部分４６を撓ませ、噴霧口４１を通って流出するようにさせる。プランジャロッド３１は、プランジャロッドフランジ３２とリミッタ４７とが接触し、さらにリミッタ４７がバレルのフランジ２６と接触し、その結果、それ以上の末端方向への移動が防止されるまで動かすことができる。プランジャロッド３１は、末端方向へはそれ以上動くことができず、液状物質の約二分の一が注射器の中に残る。
【００２５】
そして、使用者は一方の鼻腔から鼻内部への送り器具を取り除き、リミッタ４７をプランジャロッド３１から引き離し、もう一方の鼻腔に一回分の服用量を送る準備をする。リミッタ４７を取り除いたら、鼻内部への送り器具は今や、噴霧ノズルがもう一方の鼻腔の中にあり、液状物質３５の残りの半分が送られるるように配置され得る。
【００２６】
別の実施の形態の鼻内部への送り器具５５が、図８に図解されている。この実施形態では、鼻内部への送り器具の構成が、図１ないし７の実施形態の鼻内部への送り器具と実質的には類似している。よって、図８中で末尾に添えた“a”がそれらの構成要素を識別するために用いられる以外は、実質的に類似した機能を行う実質的に類似した構成要素に、図１ないし７の実施形態の構成要素と同じ番号が付されている。
【００２７】
この別の実施形態では、噴霧ノズル３７が、好ましくは、キャップ３８aから伸びる概ね弾性の細長いスリーブ部材６４を含んでいる。細長いスリーブ部材６４は、注射器の本体を完全に囲む一体のスリーブ部材でもよいし、または図８に示すように二つの指状部６６を含んでいてもよい。フランジ６８は、使用者が液体を注射器から鼻腔道に送るのを助けるために拡大された表面積を提供している。当該拡大された表面領域は、注射器本体の典型的な末端部２２aよりも、各々の人差し指および中指に対して容易に保持される。さらに、各々の指からの圧力は注射器にノズル３７を維持する役目を果たしている。
【００２８】
図８の実施の形態は、以上に述べたように噴霧または霧による送りを確実にするために、キャップ部分３８にバルブ部材を含むのが好ましい。アダプター３７aは、図７に示されたスナップ嵌合を含むこともできる。
【００２９】
【発明の効果】
本発明によって種々の効果が得られる。鼻用スプレーアダプターを備えた発明性を有する配置が、鼻内部へ送られることを目的とされる物質を送るために利用され得るが、当該物質は液体安定性がなく、このため、個別の適当な薬ビンの中にパウダー状または減圧下で凍結乾燥された状態で保存される必要がある。本発明のようなキャップを有しないその他の鼻内部への送り器具は、そのような物質に対応することはできない。
【００３０】
プラスチックキャップは、使用前に常に注射器に取りつけられている必要はないので、発明性を有するアダプターとともに働く注射器からは、ほとんど水蒸気が失われない。さらに、使用するための準備が整うまで噴霧ノズルは注射器に取り付けられる必要がないので、プランジャロッドアセンブリおよび取扱いの際の圧力バルブの作動の可能性は減少する。さらに、プラスチックの噴霧ノズルは、長期にわたって液状物質と干渉しないので、適合性の問題に関する安定性テストが簡略化される。
【００３１】
本発明による利点は、予め充填された注射器との使用に対しより効果的にする。鼻内部への送り器具として使用される注射器を予め充填する一つの方法が、図９にフローチャートの形式で概略的に示されている。
【００３２】
注射器のバレルの供給ステップ２００は、上に図解および論ぜられた注射器のような所望の形式の注射器を含む。局部的に制御される環境２０２は、周知の方法で維持されるのが好ましい。当該局部的に制御される環境２０２は、供給ステップ２００と環境２０２との間に中間の洗浄または消毒ステップを全く必要とせずに、直ちに注射器を受入れるように位置されているのが好ましい。
【００３３】
一つの例では、注射器のバレルは、注射器からあらゆる微粒子を取り除くためにステップ２０４において空気で洗浄される。注射器は、その後、ステップ２０６において、例えばシリコン潤滑油等の潤滑剤で内面にコーティングされる。当該潤滑剤は、当該器具が実際に使用される際に、注射器を通るストッパ２９およびプランジャロッド３１の動きを助ける。
【００３４】
最終的に噴霧ノズルが嵌めこまれる注射器の末端は、環境２０２において先端キャップでフタをされてもよい。一つの例においては、先端キャップは、ステップ２０８で供給される。先端キャップは、ステップ２１０において空気洗浄される。洗浄された先端キャップと注射器のバレルは、先端キャプが注射器に固定される組立てステップ２１２に運ばれる。注射器のバレルアセンブリは、その後充填ステーション２１４に送られ、所望の物質が充填される。
【００３５】
一旦所望通りに充填されると、ストッパ２９がステップ２２０において注射器の開口端部に挿入される。ストッパ２９を挿入する前に、ステップ２２２においてプランジャロッド３１と組立てられ、ステップ２２４において周知の方法で従来の潤滑剤で潤滑されるのが好ましい。組立てられ、充填された注射器は、ステップ２２６において欠陥検査され、局部的に制御された環境から外に出される。
【００３６】
注射器は、典型的には、ステップ２３０で消毒され、ステップ２３２で個別包装されるかまたは個々の状況の必要性に応じて一括包装される。適した消毒技術が知られており、個別の状況に応じてまたは所望の物質の特性に適応させて、当業者によって選択される。本発明によってデザインされた器具の消毒は、包装前または包装後に完了することができる。
【００３７】
充填のステップの種類は、本発明の範囲に含まれる。例えば、ストッパが最初に挿入され、その後注射器が充填され、引き続き先端キャップが取りつけられてもよい。
【００３８】
所望の物質の実際の挿入は、いくつかの従来知られた方法のうち何れにおいても成し遂げることができる。充填技術の例は、ヘッファーマン他に対する米国特許第５，６２０，４２５号、スミス他に対する同第５，５９７，５３０号、デハーンに対する同第５，５３７,０４２号、ヴァッカに対する同第５，５１９，９８４号、ヴェッシンク他に対する同第５，５１９，９８４号、ヴェッシンク他に対する同第５，３７３，６８４号、リーバート他に対する同第５，２６５，１５４号、リーバート他に対する同第５，２８７，９８３号、およびジャージェンス、ジュニア他に対する同第４，７１８，４６３号に開示されており、その各々が、本明細書に参考文献として組み込まれている。
【００３９】
以上の記載は、性質を限定するというよりも代表的な例である。変形および変更は、本発明の基本から外れることなく、当業者にとって明らかとなるであろう。本発明に与えられる法的保護の範囲は、以下の請求項を研究することによってのみ確定される。
【図面の簡単な説明】
【図１】図１は、本発明によりデザインされた鼻内部への送り器具の斜視図である。
【図２】図２は、図１の鼻内部への送り器具の側面図である。
【図３】図３は、片方の端部から見た場合の図１の鼻内部への送り器具の側面図である。
【図４】図４は、線４−４についての図３の鼻内部への送り器具の部分断面図である。
【図５】図５は、線５−５についての図２の鼻内部への送り器具の断面図である。
【図６】図６は、一方向弁の特徴を有する２つの構成要素からなる噴霧ノズルアセンブリを図解した鼻内部への送り器具の噴霧ノズルの拡大断面図である。
【図７】図７は、スナップ嵌合の特徴を図解した噴霧ノズルの拡大断面図である。
【図８】図８は、本発明によりデザインされた鼻内部への送り器具のもう一つの実施例の側面図である。
【図９】図９は、本発明によりデザインされた器具を満たす方法を概略的に図解したフローチャートである。
【符号の説明】
２０    注射器
２１    バレル
２２    基端部
２３    チャンバ
２５    先端部分
２７    末端部
２８    通路
２９    ストッパ
３１    プランジャロッド
３２    フランジ
３５    液状物質
３７    噴霧ノズル
３８    キャップ
３９    管路
４０    末端部
４１    噴霧口
４３    先端部分
４４    協働開口部
４５    バルブ
４６    スカート
４６a    通路
４７    投薬リミッタ
４９    つまみ部分
５０    リブ
６４    スリーブ部材
６６    指状部
２００    注射器の供給
２０４    空気洗浄
２０６    注射器のコーティング
２０８    キャップの供給
２１０    空気洗浄
２１２    組立て
２１４    注射器の充填
２２０    組立て
２２２    ストッパアセンブリ
２２４    潤滑
２２６    検査
２３０    消毒
２３２    包装
【図１】
0004632510.tif 000002
【図２】
0004632510.tif 000003
【図３】
0004632510.tif 000004
【図４】
0004632510.tif 000005
【図５】
0004632510.tif 000006
【図６】
0004632510.tif 000007
【図７】
0004632510.tif 000008
【図８】
0004632510.tif 000009
【図９】
0004632510.tif 000010